(57)【要約】【課題】車両の走行状態に合わせながらも、ユーザが受信したい映像、あるいは音声を容易に探すことができる。【解決手段】番組検索装置５は、走行状態検出装置５が、車両が停止状態にあることを検出した場合に、電子番組ガイド記憶部３に保存されているテレビ番組とラジオ番組の両方から、ユーザが入力装置１で入力した放送内容、すなわちジャンルとキーワードに相応する番組を検索する第１処理手段を含む。また、走行状態検出装置５が、車両が走行状態にあることを検出した場合に、電子番組ガイド記憶部３に保存されているラジオ番組のみから、ユーザが入力装置１で入力したジャンルとキーワードに相応する番組を検索する第２処理手段も含む。【選択図】図１
2005080092.tif 000002
【特許請求の範囲】
【請求項１】
ユーザが受信したい放送内容を入力する入力装置と、
外部から入力されるテレビ番組及びラジオ番組を保存する電子番組ガイド記憶部と、
現在時刻を出力する時計部と、
上記入力装置から入力された放送内容に相応する現在放送されている番組を、上記電子番組ガイド記憶部で保存されているテレビ番組、ラジオ番組から検索し、検索された番組を放送している放送局を特定する番組検索装置と、
この番組検索装置で特定された放送局の信号を受信する受信装置と、
この受信装置で受信された放送局の映像を表示する表示装置と、
上記受信装置で受信された放送局の音声を出力するスピーカと、
車両の走行状態を検出する走行状態検出装置とを備え、
上記番組検索装置は、
上記走行状態検出装置が、上記車両が停止状態にあることを検出した場合に、上記電子番組ガイド記憶部に保存されているテレビ番組とラジオ番組の両方から、ユーザが上記入力装置で入力した上記放送内容に相応する番組を検索する第１処理手段を含むと共に、
上記走行状態検出装置が、上記車両が走行状態にあることを検出した場合に、上記電子番組ガイド記憶部に保存されているラジオ番組のみから、ユーザが上記入力装置で入力した上記放送内容に相応する番組を検索する第２処理手段を含むことを特徴とする車載マルチメディアシステム。
【請求項２】
上記請求項１記載の発明において、
上記番組検索装置によって特定された放送局を記憶する検索結果記憶部を備えると共に、
上記番組検索装置は、
検索した番組を放送している放送局を、上記入力装置で入力された放送内容に適合する順番に順位を付けて上記検索結果記憶部に記憶させる第３処理手段と、
最初は上記検索結果記憶部に記憶されている最も順位の高い放送局の信号を受信する指令信号を上記受信装置に出力する第４処理手段と、
この第４処理手段によって出力され、上記受信装置を介して上記表示装置に表示され、あるいは上記スピーカから音声として出力された放送局の番組が、ユーザの好む番組でないことが確認されたとき、上記検索結果記憶部に記憶されている次に順位の高い放送局の信号を受信する指令信号を上記受信装置に出力する第５処理手段を含むことを特徴とする車載マルチメディアシステム。
【請求項３】
上記請求項２記載の発明において、
上記番組検索装置は、
テレビ番組の放送局とラジオ番組の放送局とに個別に分けて上記検索結果記憶部に記憶させる第６処理手段を含むことを特徴とする車載マルチメディアシステム。
【請求項４】
上記請求項３記載の発明において、
上記番組検索装置は、
テレビが受信されている場合に、上記走行状態検出装置が、車両が走行状態にあることを検出すると、上記検索結果記憶部に記憶されているラジオ番組の放送局の中から該当する放送局を検索し、その放送局の信号を受信する指令信号を上記受信装置に出力する第７処理手段を含むことを特徴とする車載マルチメディアシステム。
【請求項５】
上記請求項１〜３のいずれかに記載の発明において、
上記番組検索装置は、
テレビが受信されている場合に、上記走行状態検出装置が、車両が走行状態にあることを検出すると、上記電子番組ガイド記憶部に保存されているテレビ番組の中から上記入力装置で入力された放送内容に相応するジャンル及びキーワードを選定し、これらの選定されたジャンル及びキーワードによって、上記電子番組ガイド記憶部に保存されているラジオ番組を検索する処理手段を含むことを特徴とする車載マルチメディアシステム。
【請求項６】
上記請求項５記載の発明において、
上記番組検索装置は、
テレビが受信されている場合に、上記走行状態検出装置が、上記車両が所定速度以下の低速走行状態にあることを検出すると、テレビの受信は継続させるものの上記表示装置による映像表示を禁止させる指令信号を上記受信装置に出力する第８処理手段を含むことを特徴とする車載マルチメディアシステム。
【請求項７】
ユーザが受信したい音声、映像情報を含む情報を入力する入力装置と、
外部から入力される音声、映像情報を含む情報を保存する情報記憶部と、
上記入力装置で入力された情報に相応する情報を、上記情報記憶部に保存されている情報から検索し、情報送信元を特定する情報検索装置と、
この情報検索装置で特定された情報送信元の情報を受信する受信装置と、
この受信装置で受信された情報送信元の映像を表示する表示装置と、
上記受信装置で受信された情報送信元の音声を出力するスピーカと、
車両の走行状態を検出する走行状態検出装置とを備え、
上記情報検索装置は、
上記走行状態検出装置が、上記車両が停止状態にあることを検出した場合に、上記情報記憶部に保存されている映像情報と音声情報の両方から、ユーザが上記入力装置で入力した情報に相応する情報を検索する処理手段を含むと共に、
上記走行状態検出装置が、上記車両が走行状態にあることを検出した場合に、上記情報記憶部に保存されている音声情報のみから、ユーザが上記入力装置で入力した情報に相応する情報を検索する別の処理手段を含むことを特徴とする車載マルチメディアシステム。
【請求項８】
上記請求項７記載の発明において、
上記受信装置で受信されたテキストデータを音声信号に変換して上記スピーカに出力するテキスト・音声変換部を備えたことを特徴とする車載マルチメディアシステム。
【発明の詳細な説明】
【技術分野】
【０００１】
本発明は、車両に搭載されるラジオ、及びテレビ等のＡＶ（オーディオ・ビジュアル）機器に対する信号処理制御を実施する車載マルチメディアシステムに関する。
【背景技術】
【０００２】
車両に搭載されたＡＶ機器は、運転者以外の同乗者にとっては、車両ドライブ中の楽しさを増すものであるが、運転操作している運転者に対しては、モニタに表示された映像にその視線を向けさせることによる危険を生じさせてしまうものでもある。このために従来、特許文献１，２に示されるように、走行中はＡＶ機器のモニタへの映像表示は禁止させ、音声出力だけ許すようにしたシステムが提案されている。
【特許文献１】特開２０００−９４８１公報
【特許文献２】特開２００２−９４９３３公報
【発明の開示】
【発明が解決しようとする課題】
【０００３】
ところで例えば、テレビ番組は映像を見ながら聞くことを前提に番組が作られている。したがって、映像を見ないと内容が分かりにくいことが多い。一方、ラジオ番組は音声だけでも内容が分かり易くなっている。このため、ラジオは運転者が車両の走行中に楽しむのには適している。しかし、テレビに比べると臨場感に欠ける。このようなことから、テレビとラジオを搭載した車両では通常、車両の走行状態に合わせて運転者等の視聴者、すなわちユーザがテレビ番組、あるいはラジオ番組を選択するようにしている。
【０００４】
しかし、車両内のユーザが、現在のテレビ番組、ラジオ番組の全てを把握することは通常困難であり、結局、ユーザの好む番組をそのユーザが選択することは煩雑なことであった。
【０００５】
すなわち、従来は車両内のユーザが十分に満足する映像、あるいは音声を確保することはきわめて困難というのが実状であった。
【０００６】
本発明は、上述した従来技術における実状からなされたもので、その目的は、車両の走行状態に合わせながらも、ユーザが受信したい映像、あるいは音声を容易に探すことができる車載マルチメディアシステムを提供することにある。
【課題を解決するための手段】
【０００７】
上記目的を達成するために、本発明は、ユーザが受信したい放送内容を入力する入力装置と、外部から入力されるテレビ番組及びラジオ番組を保存する電子番組ガイド記憶部と、現在時刻を出力する時計部と、上記入力装置から入力された放送内容に相応する現在放送されている番組を、上記電子番組ガイド記憶部で保存されているテレビ番組、ラジオ番組から検索し、検索された番組を放送している放送局を特定する番組検索装置と、この番組検索装置で特定された放送局の信号を受信する受信装置と、この受信装置で受信された放送局の映像を表示する表示装置と、上記受信装置で受信された放送局の音声を出力するスピーカと、車両の走行状態を検出する走行状態検出装置とを備え、上記番組検索装置は、上記走行状態検出装置が、上記車両が停止状態にあることを検出した場合に、上記電子番組ガイド記憶部に保存されているテレビ番組とラジオ番組の両方から、ユーザが上記入力装置で入力した上記放送内容に相応する番組を検索する第１処理手段を含むと共に、上記走行状態検出装置が、上記車両が走行状態にあることを検出した場合に、上記電子番組ガイド記憶部に保存されているラジオ番組のみから、ユーザが上記入力装置で入力した上記放送内容に相応する番組を検索する第２処理手段を含むことを特徴としている。
【０００８】
このように構成した本発明は、車両内の視聴者すなわちユーザが受信したい放送内容を入力装置で入力すると、番組検索装置は、外部から入力され電子番組ガイド記憶部に記憶されているテレビ番組、ラジオ番組の中から入力装置で入力された放送内容に相応する番組を、時計部で計時される現在時刻に応じて検索する。
【０００９】
この場合例えば、走行状態検出装置によって車両が停止中であることが検出されたときには、番組検索装置の第１処理手段によって、テレビ番組とラジオ番組の両方からユーザが受信したい番組が検索される。検索された番組が例えばテレビ番組であれば、そのテレビ番組を放送している放送局、すなわちテレビ局が特定され、その特定されたテレビ局の信号を受信する指令信号が受信装置に送信される。この受信装置を介して該当するテレビ局の映像が表示装置に表示されると共に、音声がスピーカから出力される。また、検索された番組がラジオ番組であれば、そのラジオ番組を放送している放送局、すなわちラジオ局が特定され、その特定されたラジオ局の信号を受信する指令信号が受信装置に送信される。この受信装置を介して該当するラジオ局の音声がスピーカから出力される。
【００１０】
また例えば、走行状態検出装置によって車両が走行中であることが検出されたときには、番組検索装置の第２処理手段によってラジオ番組が検索され、該当するラジオ局が特定され、そのラジオ局の信号を受信する指令信号が受信装置に送信される。この受信装置を介して該当するラジオ局の音声がスピーカから出力される。
【００１１】
すなわち本発明は、車両が停止状態にあるか、走行状態にあるかが走行状態検出装置で検出されると、番組検索装置の第１処理手段あるいは第２処理手段によってユーザが入力装置で入力した放送内容に一致あるいは近い映像情報、または音声情報が検索され、放送局が特定される。特定された放送局の映像情報は表示装置で表示され、音声情報はスピーカから出力される。このように、ユーザが入力装置で入力する簡単な操作で、番組検索装置が車両の走行状態に合わせた該当する放送局の映像情報あるいは音声情報を容易に探すことができる。
【００１２】
また本発明は、上記発明において、上記番組検索装置によって特定された放送局を記憶する検索結果記憶部を備えると共に、上記番組検索装置は、検索した番組を放送している放送局を、上記入力装置で入力された放送内容に適合する順番に順位を付けて上記検索結果記憶部に記憶させる第３処理手段と、最初は上記検索結果記憶部に記憶されている最も順位の高い放送局の信号を受信する指令信号が上記受信装置に出力する第４処理手段と、この第４処理手段によって出力され、上記受信装置を介して上記表示装置に表示され、あるいはスピーカから音声として出力された放送局の番組が、ユーザの好む番組でないことが確認されたとき、上記検索結果記憶部に記憶されている次に順位の高い放送局の信号を受信する指令信号が上記受信装置に出力する第５処理手段を含むことを特徴としている。
【００１３】
このように構成した本発明は、検索結果記憶部に記憶されている最も順位の高い放送局の番組がユーザの好む番組でないときには、番組検索装置の第５処理手段によって次に順位の高い放送局が検索され、ユーザの好みに合う番組を容易に探すことができる。
【００１４】
また本発明は、上記発明において、上記番組検索装置は、テレビ番組の放送局とラジオ番組の放送局とに個別に分けて上記検索結果記憶部に記憶させる第６処理手段を含むことを特徴としている。
【００１５】
このように構成した本発明は、走行状態検出装置によって車両が停止していることが検出されたときには、番組検索装置の第６処理手段によって、検索結果記憶部にそれぞれ個別に分けて記憶されているテレビ局とラジオ局の両方からユーザの好む番組を放送している放送局が検索され、車両が走行状態にあることが検出されたときには、番組検索装置の第６処理手段によって、検索結果記憶部にまとめて記憶されているラジオ局の中からユーザの好む番組を放送している放送局が検索される。すなわち、番組検索装置の上述した第４処理手段、第５処理手段による放送局の検索処理が容易になる。
【００１６】
また本発明は、上記発明において、上記番組検索装置は、テレビが受信されている場合に、上記走行状態検出装置が、車両が走行状態にあることを検出すると、上記検索結果記憶部に記憶されているラジオ番組の放送局の中から該当する放送局を検索し、その放送局の信号を受信する指令信号を上記受信装置に出力する第７処理手段を含むことを特徴としている。
【００１７】
このように構成した本発明は、テレビを受信している場合に、走行状態検出装置が、車両が走行状態にあることを検出すると、番組検索装置の第７処理手段によって、検索結果記憶部に記憶されているラジオ局の中からユーザの好む番組を放送しているラジオ局が検索される。すなわち、テレビ番組を見ている最中に走行しはじめたときには、ユーザの好みに近いラジオ局が検索され、そのラジオ局の信号を受信する指令信号が受信装置に出力され、そのラジオ局の番組をスピーカから放送させることができる。
【００１８】
また本発明は、上記発明において、上記番組検索装置は、テレビが受信されている場合に、上記走行状態検出装置が、車両が走行状態にあることを検出すると、上記電子番組ガイド記憶部に保存されているテレビ番組の中から上記入力装置で入力された放送内容に相応するジャンル及びキーワードを選定し、これらの選定されたジャンル及びキーワードによって、上記電子番組ガイド記憶部に保存されているラジオ番組を検索する処理手段を含むことを特徴としている。
【００１９】
このように構成した本発明は、テレビを受信している場合に、走行状態検出装置が、車両が走行状態にあることを検出すると、番組検索装置の処理手段は、電子番組ガイド記憶部に記憶されているテレビ番組の中から入力装置で入力された放送内容に相応するジャンル及びキーワードを選定する。この選定されたジャンル及びキーワードによって、電子番組ガイド記憶部に記憶されているラジオ番組が検索され、検索されたラジオ番組を放送しているラジオ局が特定される。したがって、よりユーザの好みに近い番組を放送しているラジオ局が特定され、そのラジオ局の信号を受信する指令信号が受信装置に出力され、そのラジオ局の番組をスピーカから放送させることができる。
【００２０】
また本発明は、上記発明において、上記番組検索装置は、テレビが受信されている場合に、上記走行状態検出装置が、上記車両が所定速度以下の低速走行状態にあることを検出すると、テレビの受信は継続させるものの上記表示装置による映像表示を禁止させる指令信号を上記受信装置に出力する第８処理手段を含むことを特徴としている。
【００２１】
このように構成した本発明は、例えばテレビを受信した状態で駐車場内を低速で走行するような場合には番組検索装置の第８処理手段によって、ラジオ番組に切り換えられることがないので、ユーザは車両の停止後に直ちに表示装置でテレビ映像を再び見ることができる。
【００２２】
また本発明は、ユーザが受信したい音声、映像情報を含む情報を入力する入力装置と、外部から入力される音声、映像情報を含む情報を保存する情報記憶部と、上記入力装置で入力された情報に相応する情報を、上記情報記憶部に保存されている情報から検索し、情報送信元を特定する情報検索装置と、この情報検索装置で特定された情報送信元の情報を受信する受信装置と、この受信装置で受信された情報送信元の映像を表示する表示装置と、上記受信装置で受信された情報送信元の音声を出力するスピーカと、車両の走行状態を検出する走行状態検出装置とを備え、上記情報検索装置は、上記走行状態検出装置が、上記車両が停止状態にあることを検出した場合に、上記情報記憶部に保存されている映像情報と音声情報の両方から、ユーザが上記入力装置で入力した情報に相応する情報を検索する処理手段を含むと共に、上記走行状態検出装置が、上記車両が走行状態にあることを検出した場合に、上記情報記憶部に保存されている音声情報のみから、ユーザが上記入力装置で入力した情報に相応する情報を検索する別の処理手段を含むことを特徴としている。
【００２３】
このように構成した本発明は、ユーザが受信したい情報を入力装置で入力すると、情報検索装置の処理手段は、外部から入力され情報記憶装置に記憶されている映像情報、音声情報を含む情報のうちの入力装置で入力された情報に相応する情報を、例えば時計部で計時される現在時刻に応じて検索する。
【００２４】
この場合例えば、走行状態検出装置によって車両が停止中であることが検出されたときには、情報検索装置の処理手段によって、情報記憶部に記憶されている映像情報と音声情報の両方からユーザが好む情報が検索される。検索された情報が映像情報であれば、その映像情報を出力している情報送信元が特定され、その情報送信元の信号を受信する指令信号が受信装置に出力される。この受信装置を介して該当する情報送信元の映像が表示装置に表示される。また、検索された情報が音声情報であれば、その音声情報を出力している情報送信元が特定され、その情報送信元の信号を受信する指令信号が受信装置に出力される。この受信装置を介して該当する情報送信元の音声情報がスピーカから出力される。
【００２５】
また例えば、走行状態検出装置によって車両が走行中であることが検出されたときには、情報検索装置の別の処理手段によって、音声情報が検索され、該当する情報送信元が特定され、その情報送信元の信号を受信する指令信号が受信装置に出力される。この受信装置を介して該当する情報送信元の音声がスピーカから出力される。
【００２６】
すなわち本発明は、車両が停止状態にあるか、走行状態にあるかが走行状態検出装置で検出されると、情報検索装置の処理手段、あるいは別の処理手段によって、ユーザが入力装置で入力した情報に一致、あるいは近い映像情報または音声情報が検索され、情報送信元が特定される。特定された情報送信元の映像情報は表示装置で表示され、音声情報はスピーカから出力される。このようにユーザの好む情報を入力装置で入力する簡単な操作で、情報検索装置が車両の走行状態に合わせた該当する情報送信元の映像情報あるいは音声情報を容易に探すことができる。
【００２７】
また本発明は、上記発明において、上記受信装置で受信されたテキストデータを音声信号に変換して上記スピーカに出力するテキスト・音声変換部を備えたことを特徴としている。
【００２８】
このように構成した本発明は、インターネットを介して、あるいはテレビ局、ラジオ局から送信される信号を介して得られるテキストデータを、テキスト・音声変換部によって音声信号に変換し、スピーカから出力させることができるので、情報に対するユーザの選択肢を広げることができる。
【発明の効果】
【００２９】
本発明は、車両の走行状態に合わせながらも、ユーザが受信したい映像、あるいは音声を容易に探しユーザが好む映像あるいは音声をユーザに提供でき、これにより車両内のユーザに満足感を与えることができ、従来に比べてユーザに対するサービス性を向上させることができる。
【発明を実施するための最良の形態】
【００３０】
以下，本発明に係る車載マルチメディアシステムを実施するための最良の形態を図に基づいて説明する。
【００３１】
［第１実施形態］
図１は本発明の第１実施形態の構成を示すブロック図である。図２は図１に示す第１実施形態に備えられる入力装置で入力される放送内容の一例を示す図である。図３は図１に示す第１実施形態に備えられる電子番組ガイド記憶部で記憶される番組の一例を示す図で、（ａ）図はテレビ番組を示す図、（ｂ）図はラジオ番組を示す図である。図４は図１に示す第１実施形態に備えられる検索結果記憶部で記憶される放送局の一例を示す図で、（ａ）図はテレビ局を示す図、（ｂ）図はラジオ局を示す図である。
【００３２】
この第１実施形態はテレビ及びラジオが搭載された車両に備えられるもので、図１に示すように、車両内の視聴者すなわちユーザが、受信したい放送内容を入力する入力装置１を備えている。この入力装置１によって入力される放送内容は、例えば図２に示すように、ジャンルとキーワードである。
【００３３】
また、外部のテレビ局から送信されるテレビ番組に相応する信号、ラジオ局から送信されるラジオ番組に相応する信号を入力する電子番組ガイド受信部２と、この電子番組ガイド受信部２によって受信されたテレビ番組、及びラジオ番組を保存する電子番組ガイド記憶部３と、現在時刻を出力する時計部４とを備えている。電子番組ガイド記憶部３に保存されるテレビ番組は、例えば図３の（ａ）図に示すものであり、ラジオ番組は例えば同図３の（ｂ）図に示すものである。
【００３４】
また、入力装置１から入力された放送内容、すなわちジャンルとキーワードに相応する現在放送されている番組を、電子番組ガイド記憶部３で保存されているテレビ番組、ラジオ番組から検索し、検索された番組を放送している放送局を特定する番組検索装置５と、この番組検索装置５によって特定された放送局を記憶する検索結果記憶部６とを備えている。この検索結果記憶部６に記憶されるテレビ局は、例えば図４の（ａ）図に示すものであり、ラジオ局は例えば同図４の（ｂ）図に示すものである。これらの図４の（ａ）、（ｂ）図に示すように、検索結果記憶部６には、優先順位の高い放送局から順位を付けて記憶されるようになっている。これらの優先順位については後述する。
【００３５】
また、番組検索装置５で特定された放送局の信号を受信する受信装置、例えばテレビ受信部７とラジオ受信部８とを備えると共に、これらのテレビ受信部７、ラジオ受信部８から出力される信号に応じて映像信号、あるいは音声信号に作成処理する再生部１０を備えている。
【００３６】
また、テレビ受信部７で受信された信号を再生部１０から出力される映像信号により映像を表示する表示装置１１と、テレビ受信部７で受信された信号を再生部１０から出力される音声信号により音声を出力する、あるいはラジオ受信部８で受信された信号を再生部１０から出力される音声信号により音声を出力するスピーカ１２を備えている。さらに、この車両の走行状態を検出する走行状態検出装置９、例えば停止状態か、走行状態か、走行状態であれば低速走行か、高速走行かをそれぞれ検出する走行状態検出装置９を備えている。
【００３７】
上述した番組検索装置５は、以下に述べるように各種の処理手段を含んでいる。すなわち、走行状態検出装置９が、車両が停止状態にあることを検出した場合に、電子番組ガイド記憶部３に保存されているテレビ番組とラジオ番組の両方から、ユーザが入力装置１で入力した放送内容、すなわちジャンル及びキーワードに相応する番組を検索する第１処理手段を含んでいる。
【００３８】
また、走行状態検出装置９が、車両が走行状態にあることを検出した場合に、電子番組ガイド記憶部３に保存されているラジオ番組のみから、ユーザが入力装置１で入力したジャンル及びキーワードに相応する番組を検索する第２処理手段を含んでいる。
【００３９】
また、検索した番組を放送している放送局のうちの所定数を、入力装置１で入力されたジャンル及びキーワードに適合する順番に順位を付けて上述した図４の（ａ）、（ｂ）図に示すように検索結果記憶部６に記憶させる第３処理手段を含んでいる。
【００４０】
また、最初は検索結果記憶部６に記憶されている最も順位の高い放送局の信号を受信する指令信号を受信装置、すなわちテレビ受信部７あるいはラジオ受信部８に出力する第４処理手段を含んでいる。
【００４１】
また、上述の第４処理手段によって出力され、テレビ受信部７、再生部１０を介して表示装置１１に表示されると共に、スピーカ１２から音声として出力され、あるいはラジオ受信部８、再生部１０を介してスピーカ１２から音声として出力された放送局の番組が、ユーザの好む番組でないことがユーザによって確認されたとき、検索結果記憶部６に記憶されている次に順位の高い放送局の信号を受信する指令信号を、テレビ受信部７あるいはラジオ受信部８に出力する第５処理手段を含んでいる。
【００４２】
また、図４の（ａ）、（ｂ）図に示すように、テレビ番組を放送するテレビ局と、ラジオ番組を放送するラジオ局とに、それぞれ個別に分けて検索結果記憶部６に記憶させる第６処理手段を含んでいる。
【００４３】
また、テレビが受信されている場合に、走行状態検出装置９が、車両が走行状態にあることを検出すると、検索結果記憶部６に記憶されるラジオ局の中から該当するラジオ局を検索し、そのラジオ局の信号を受信する指令信号をラジオ受信部８に出力する第７処理手段を含んでいる。
【００４４】
また、テレビが受信されている場合に、走行状態検出装置９が、車両が所定速度以下の低速走行状態にあることを検出すると、テレビの受信は継続させるものの表示装置１１による映像表示を禁止させ、スピーカ１２による音声の出力のみを許す指令信号をテレビ受信部７に出力する第８処理手段を含んでいる。
【００４５】
このように構成した本実施形態における処理操作について以下に説明する。図５は第１実施形態における処理手順を示すフローチャートである。
【００４６】
まず予め、電子番組ガイド受信部２を介して外部から入力されるテレビ番組、ラジオ番組が、図３の（ａ）、（ｂ）図に例示するように、電子番組ガイド記憶部３に保存される。
【００４７】
この状態において、車両内のユーザが入力装置１によって、受信したい放送内容、すなわち図２に例示するジャンルとキーワードが入力される（手順Ｓ１）。
【００４８】
これに応じて、番組検索装置５の処理手段は、入力装置１で入力されたジャンルとキーワードに適合するテレビ番組、及びラジオ番組を、時計部４から入力される現在時刻を参照して電子番組ガイド記憶部３に保存された図３の（ａ）、（ｂ）図に示すテレビ番組、及びラジオ番組から検索する（手順Ｓ２）。
【００４９】
今、例えば検索の結果、図３の（ａ）図に示すテレビ番組を参照して入力装置１から入力されたジャンルとキーワードを最も多く含むテレビ番組を有しているのがＤＥＦテレビであり、次位がＧＨＩテレビであると判断されたものとする。ここで検索結果記憶部６に、テレビ局については図４の（ａ）図に示すように、番組検索装置５の第３処理手段によって、第１順位としてＤＥＦテレビが記憶され、第２順位としてＧＨＩテレビが記憶される。同様に、図３の（ｂ）図に示すラジオ番組を参照して入力装置１から入力されたジャンルとキーワードを最も多く含むラジオ番組を有しているのがＭＮＯラジオであると例えば判断され、検索結果記憶部６に、ラジオ局については図４の（ｂ）図に示すように、第１順位としてＭＮＯラジオが記憶される。第２順位以下については図示を省略するが、該当するものが記憶される。すなわち、検索結果記憶部６には、番組検索装置５に含まれる第６処理手段により入力装置１で入力されたジャンルとキーワードを含むテレビ番組を有するテレビ局と、ラジ番組を有するラジオ局とが、それぞれ個別に分けて記憶されるようになっている。（手順Ｓ３）
ここで、番組検索装置５において、走行状態検出装置９で検出される車両の走行状態が現在どのような状態か判断される（手順Ｓ４）。
【００５０】
今仮に、車両が駐車場内に停止した状態にあるものとすると、番組検索装置５の第１処理手段は、テレビ番組、ラジオ番組の両方から入力装置１で入力された放送内容、すなわちジャンルとキーワードに相応する番組を検索する。この場合例えば、番組検索装置５の第４処理手段によって、検索結果記憶部６に記憶されている最も優先順位の高いテレビ局とラジオ局が検索され、最も優先順位の高いテレビ番組を放送しているテレビ局である第１順位のＤＥＦテレビと、最も優先順位の高いラジオ番組を放送しているラジオ局である第１順位のＭＮＯラジオとを特定し、ＤＥＦテレビの信号を受信する指令信号がテレビ受信部７に出力され、あるいはＭＮＯラジオの信号を受信する指令信号がラジオ受信部８に出力される（手順Ｓ５）。
【００５１】
今例えば、車両内のテレビが受信されているときには、テレビ受信部７から出力される信号に応じた再生部１０からの映像信号が表示装置１１に出力され、音声信号がスピーカ１２に出力される。これにより、表示装置１１にＤＥＦテレビのテレビ番組の映像が写し出され、スピーカ１２からその映像に伴う音声が出力される。
【００５２】
また例えば、車両内のラジオが受信されているときには、ラジオ受信部８から出力される信号に応じて再生部１０からの音声信号がスピーカ１２に出力され、このスピーカ１２からＭＮＯラジオのラジオ番組が放送される。
【００５３】
ここで車両内のユーザは、写し出されているテレビ番組、あるいは放送されているラジオ番組が自分の好みに合うものかどうか確認する作業をおこなう（手順Ｓ６）。
【００５４】
例えば、テレビを受信している状態において表示装置１１に写し出され、スピーカ１２から音声が出力されているＤＥＦテレビのテレビ番組が、自分の好みに合わないとユーザが判断したときには、入力装置１の所定の操作部が操作される。これに応じて、番組検索装置５の第５処理手段は、検索結果記憶部６に記憶されているテレビ局の優先順位を変更する処理をおこなう。すなわち、それまで第１順位であったＤＥＦテレビを最下位にし、第２順位であったＧＨＩテレビを第１順位に繰り上げる処理をおこなう（手順Ｓ７）。引き続き、ＧＨＩテレビの信号を受信する指令信号をテレビ受信部７に出力する。これに応じて表示装置１１にＧＨＩテレビのテレビ番組が映し出され、スピーカ１２からその映像に伴う音声が出力される。
【００５５】
なお、上記ではテレビ番組の優先順位、すなわちテレビ局の優先順位を変更する処理について述べたが、ラジオを受信している状態においてラジオ番組の優先順位、すなわちラジオ局の優先順位を変更する場合も上述と同様にしておこなわれる。
【００５６】
今例えば、上述のようにして表示装置１１に写し出されたＧＨＩテレビのテレビ番組がユーザの好みに合う番組であったとすると、番組検索装置５の処理手段は、今テレビを受信しているかどうか判断する（手順Ｓ８）。今は、ＧＨＩテレビを受信しているが、テレビを受信しなくなった場合には全ての処理が終了する。
【００５７】
今はＧＨＩテレビを受信しているので、番組検索装置５の処理手段によって、車両が所定の速度以下の低速走行状態にあるかどうか判断される（手順Ｓ９）。例えば上述のように車両が駐車場内に停止していた状態から、その駐車場内を低速で移動するように変化したときなどには、低速走行状態にあると判断され、番組検索装置５の第８処理手段によって、表示装置１１によるテレビ番組の映像表示を禁止させ、スピーカ１２からの音声の出力のみを許す指令信号がテレビ受信部７に出力される。これにより、表示装置１１の映像は消え、スピーカ１２からの音声のみが出力される（手順Ｓ１０）。
【００５８】
上述した手順Ｓ９の番組検索装置５の処理手段による判断が、低速走行でないと判断されたときには、番組検索装置５の処理手段によって、車両が前述した所定の速度を超えた高速走行状態にあるかどうか判断される（手順Ｓ１１）。
【００５９】
ここで例えば、駐車場内を低速走行していた車両が所定の場所に再び停止したようなときで、高速走行状態でないと判断されたときは、番組検索装置５の処理手段によって、再びテレビ番組の映像表示を許す指令信号がテレビ受信部７に出力される。これにより、表示装置１１にテレビ番組の映像が再び写し出されると共に、スピーカ１２からその映像に伴う音声が出力される（手順Ｓ１２）。
【００６０】
また、車両が駐車場内から駐車場の外部に発進して、通常の高速走行に移行した場合には、上述した手順Ｓ１１における判断で車両が高速走行状態であると判断され、番組検索装置５の第７処理手段により上述した手順Ｓ４に戻る。
【００６１】
現在は高速走行中であることから、手順４の判断は走行中と判断され、番組検索装置５の第２処理手段は、ラジオ番組の中で最も優先順位の高いものを検索する。すなわち、検索結果記憶部６に記憶されている最も優先順位の高いラジオ局を検索し、その最も優先順位の高いラジオ番組を放送しているラジオ局である第１順位のＭＮＯラジオを特定する（手順Ｓ１３）。番組検索装置５の第２処理手段は、このＭＮＯラジオの信号を受信する指令信号をラジオ受信部８に出力する。さらに、このラジオ受信部８から再生部１０に信号が出力され、再生部１０から音声信号がスピーカ１２に出力される。これにより、スピーカ１２からＭＮＯラジオのラジオ番組が放送される。
【００６２】
ここで、車両のユーザは、現在放送されているラジオ番組が自分の好みに合うものかどうか確認する作業をおこなう（手順Ｓ１４）。
【００６３】
例えば、スピーカ１２から音声が出力されているＭＮＯラジオのラジオ番組が、自分の好みに合わないとユーザが判断したときに、入力装置１の所定の操作部が操作される。これに応じて番組検索装置５の第５処理手段は、ラジオ番組の優先順位、すなわち検索結果記憶部６に記憶されているラジオ局の優先順位を変更する処理をおこなう。図４の（ｂ）図では第２順位以下を図示省略したが、それまで第１順位であったＭＮＯラジオを最下位にし、第２順位であった図示省略したラジオ局を第１順位に繰り上げる処理をおこなう（手順Ｓ１５）。引き続き、番組検索装置５は、今回第１順位にしたラジオ局の信号を受信する指令信号をラジオ受信部８に出力する。これに応じてスピーカ１２からそのラジオ局のラジオ番組が放送される。
【００６４】
ここで再びユーザによる確認作業が手順Ｓ１３においておこなわれる。この確認作業で、放送されているラジオ番組がユーザの好みに合うものであったとすると、番組検索装置５の処理手段は、車両が走行中かどうか判断する（手順Ｓ１６）。走行中と判断されたときは、スピーカ１２からのラジオ番組の放送を継続させる処理がなされる。車両が停止状態となり、走行中でないと判断されたときは、テレビの映像の表示処理を可能とする前述した手順Ｓ５に移る。この手順Ｓ５以下の処理については前述したとおりである。なお、走行中にラジオが受信されなくなった場合には、全ての処理が終了する。
【００６５】
以上のように構成した第１実施形態によれば、車両が停止状態にあるか、走行状態にあるかが走行状態検出装置９で検出されると、番組検索装置５の第１処理手段、あるいは第２処理手段によって、ユーザが入力装置１で入力した放送内容、すなわちジャンルとキーワードに一致あるいは近い映像情報、または音声情報が検索され、テレビ局またはラジオ局が特定される。このように特定されたテレビ局の映像情報は表示装置１１で表示され、ラジオ局の音声情報はスピーカ１２から出力される。
【００６６】
このようにユーザがジャンルとキーワードを入力装置１で入力する簡単な操作で、番組検索装置５の第１処理手段、第２処理手段によって、車両の走行状態に合わせて該当する放送局の映像情報、あるいは音声情報を容易に探すことができる。
【００６７】
すなわち、車両の走行状態に合わせながらも、ユーザが望んでいる映像あるいは音声をユーザに提供でき、これにより車両内のユーザに満足感を与えることができ、ユーザに対する優れたサービス性を確保できる。
【００６８】
また、表示装置１１に写し出された映像情報、スピーカ１２から出力される音声情報によるテレビ番組、あるいはラジオ番組が、ユーザの好む番組でないときには、番組検索装置５の第５処理手段によって次に順位の高いテレビ局あるいはラジオ局が検索されるので、ユーザの好みに合う番組を容易に探すことができ、ユーザに対するサービス性を向上させることができる。
【００６９】
また、番組検索装置５の第６処理手段で、テレビ番組を放送するテレビ局とラジオ番組を放送するラジオ局とを、それぞれ分けて検索結果記憶部６に記憶させるようにしてあることから、番組検索装置５によるテレビ局、ラジオ局の検索処理が容易になり、検索速度を速くすることができる。
【００７０】
また、テレビを受信中に走行状態であることが検出されると、番組検索装置５の第７処理手段によって検索結果記憶部６に記憶されているラジオ局の中からユーザの好みに合う番組を放送しているラジオ局が検索される。すなわち、テレビ番組を見ている最中に走行しはじめたときには、ユーザの好みに近いラジオ局が検索され、そのラジオ局の番組をスピーカ１２から出力させることができ、これによってもユーザに対するサービス性を向上させることができる。
【００７１】
また、テレビを受信中に車両が所定速度以下の低速走行をしていることが検出されると、番組検索装置５の第８処理手段によって、テレビの番組の受信は継続されるものの、表示装置１１による映像表示は禁止されるので、この状態にあってはラジオ番組に切り換えられることがない。ユーザは車両の停止後に直ちに表示装置１１でテレビの映像を再び見ることができる。これによっても、ユーザに対するサービス性を向上させることができる。
【００７２】
なお上記実施形態において、テレビが受信されている場合に、走行状態検出装置９が、車両が走行状態にあることを検出すると、番組検索装置５が、電子番組ガイド記憶部３に保存されているテレビ番組の中から入力装置１で入力された放送内容、すなわちジャンル及びキーワードに相応するジャンル及びキーワードを選定し、これらの選定されたジャンル及びキーワードによって、電子番組ガイド記憶部３に保存されているラジオ番組を検索する処理手段を含む構成にしてもよい。
【００７３】
このように構成したものでは、テレビを受信している場合に、走行状態検出装置９が、車両が走行状態にあることを検出すると、番組検索装置５の処理手段は、電子番組ガイド記憶部３に記憶されているテレビ番組の中から入力装置１で入力された放送内容、すなわちジャンル及びキーワードを選定する。この選定されたジャンル及びキーワードによって、電子番組ガイド記憶部３に記憶されているラジオ番組が検索され、検索されたラジオ番組を放送しているラジオ局が特定される。したがって、よりユーザの好みに合う番組を放送しているラジオ局が特定されることになり、そのラジオ局の信号を受信する指令信号が番組検索装置５からラジオ受信部８に出力され、そのラジオ局の番組をスピーカ１２から放送させることができ、ユーザに対するサービス性の向上に貢献する。
【００７４】
［第２実施形態］
図６は本発明の第２実施形態の構成を示すブロック図、図７は第２実施形態における処理手順を示すフローチャートである。
【００７５】
この第２実施形態もテレビとラジオを搭載した車両に適用されるものであるが、この第２実施形態ではインターネットによる動画像、静止画像を含む映像情報の取得も可能になっている。また、テキストデータの音声出力も可能になっている。
【００７６】
この第２実施形態は、図６に示すように、車両内の視聴者すなわちユーザが、受信したい放送内容を入力する入力装置１を備えている。この入力装置１は、テレビ番組とラジオ番組の放送とを可能にする第１操作部１ａと、静止画像、動画像、音声を含むインターネット情報の出力とラジオ番組の放送とを可能にする第２操作部１ｂと、ユーザが受信したい音声、映像情報を含む情報を入力する情報入力部１ｃと、インターネットを介して、あるいはテレビ局、ラジオ局から出力される信号を介して得られるテキストデータを音声として出力させるテキストデータ操作部１ｄとを含んでいる。上述した情報入力部１ｃで入力される情報は、例えば図２に示すように、ジャンルとキーワードである。
【００７７】
また、外部の情報送信元であるテレビ局から送信されるテレビ番組に相応する信号、すなわち映像コンテンツ、外部の情報送信元であるラジオ局から送信されるラジオ番組に相応する信号、すなわち音声コンテンツをそれぞれ入力する電子番組ガイド受信部２と、この電子番組ガイド受信部２によって受信されたテレビ番組である映像コンテンツ、及びラジオ番組である音声コンテンツを保存するとともに、インターネット情報すなわち映像コンテンツを保存する情報記憶部１４と、現在時刻を出力する時計部４とを備えている。情報記憶部３に保存されるテレビ番組は、例えば前述した図３の（ａ）図に例示するものであり、ラジオ番組は例えば前述した図３の（ｂ）図に例示するものである。
【００７８】
また、入力装置１から入力された情報、すなわちジャンルとキーワードに相応するコンテンツを、情報記憶部１４に保存されているテレビ番組、ラジオ番組、インターネット情報から検索し、検索されたコンテンツを提供している情報送信元を特定する情報検索装置１５と、この情報検索装置１５によって特定された情報送信元を記憶する検索結果記憶部６とを備えている。この検索結果記憶部６に記憶される情報送信元のうち、テレビ局は例えば図４の（ａ）図に例示するものであり、ラジオ局は例えば図４の（ｂ）図に例示するものである。インターネット情報の送信元については図示を省略してある。例えば情報送信元がテレビ局、あるいはラジオ局である場合には、図４の（ａ）、（ｂ）図に示すように、検索結果記憶部６には、優先順位の高い放送局から順位を付けて記憶されるようになっている。インターネット情報の送信元についても同様である。これらの優先順位については後述する。
【００７９】
また、情報検索装置５で特定された情報送信元の信号を受信する受信装置、すなわちテレビ受信部７と、ラジオ受信部８、インターネット送受信部１８とを備えると共に、これらのテレビ受信部７、ラジオ受信部８、インターネット受信部１８から出力される信号を映像信号、あるいは音声信号に処理する再生部１０を備えている。
【００８０】
また、テレビ受信部７あるいはインターネット送受信部１８で受信された信号を再生部１０から出力される映像信号により映像を表示する表示装置１１と、テレビ受信部７、ラジオ受信部８、インターネット送受信部１８で受信された信号を再生部１０から出力される音声信号により音声を出力するスピーカ１２を備えている。また、再生部１０から出力されるテキストデータ信号を音声信号に変換してスピーカ１２に出力するテキスト・音声変換部１９も備えている。
【００８１】
さらに、この車両の走行状態を検出する走行状態検出装置９、例えば停止状態か、走行状態か、走行状態であれば低速走行か、高速走行かをそれぞれ検出する走行状態検出装置９を備えている。
【００８２】
上述した情報検索装置５は、以下に述べるように各種の処理手段を含んでいる。すなわち、走行状態検出装置９が、車両が停止状態にあることを検出した場合に、情報記憶部１４に保存されているテレビ番組、インターネット情報から成る映像コンテンツと、ラジオ番組から成る音声コンテンツの両方から、ユーザが入力装置１の情報入力部１ｃで入力した情報、すなわちジャンル及びキーワードに相応するコンテンツを検索する第１１処理手段を含んでいる。
【００８３】
また、走行状態検出装置９が、車両が走行状態にあることを検出した場合に、情報記憶部１４に保存されているラジオ番組から成る音声コンテンツのみから、ユーザが入力装置１で入力したジャンル及びキーワードに相応するコンテンツを検索する第１２処理手段を含んでいる。
【００８４】
また、検索した情報送信元を、テレビ局、ラジオ局、インターネット情報の送信元ごとに、入力装置１の情報入力部１ｃで入力されたジャンル及びキーワードに適合する順番に順位を付けて上述した図４の（ａ）、（ｂ）図に例示するように検索結果記憶部６に記憶させる第１３処理手段を含んでいる。
【００８５】
また、最初は検索結果記憶部６に記憶されている最も順位の高い情報送信元の信号を受信する指令信号を受信装置、すなわちテレビ受信部７、ラジオ受信部８、インターネット送受信部１８に出力する第１４処理手段を含んでいる。
【００８６】
また、上述の第１４処理手段によって出力され、テレビ受信部７あるいはインターネット送受信部１８、再生部１０を介して表示装置１１に映像表示され、スピーカ１２から音声として出力される映像コンテンツ、あるいはラジオ受信部８、再生部１０を介してスピーカ１２から音声として出力される音声コンテンツが、ユーザの好むコンテンツでないことがユーザによって確認されたとき、検索結果記憶部６に記憶されている次に順位の高い情報送信元の信号を受信する指令信号を、テレビ受信部７、インターネット送受信部１８、あるいはラジオ受信部８に出力する第１５処理手段を含んでいる。
【００８７】
また、図４の（ａ）、（ｂ）図に例示するように、テレビ番組を放送するテレビ局と、ラジオ番組を放送するラジオ局と、インターネット情報の送信元とに、それぞれ個別に分けて検索結果記憶部６に記憶させる第１６処理手段を含んでいる。
【００８８】
また、テレビの映像、あるいはインターネット情報、すなわち映像コンテンツが受信されている場合に、走行状態検出装置９が、車両が走行状態にあることを検出すると、検索結果記憶部６に記憶されるラジオ番組である音声コンテンツを出力するラジオ局の中から該当するラジオ局を検索し、そのラジオ局の信号を受信する指令信号をラジオ受信部８に出力する第１７処理手段を含んでいる。
【００８９】
また、テレビの映像、あるいはインターネット情報、すなわち映像コンテンツが受信されている場合に、走行状態検出装置９が、車両が走行状態にあることを検出すると、テレビあるいはインターネットの受信は継続させるものの表示装置１１による映像表示を禁止させ、スピーカ１２による音声の出力のみを許す指令信号をテレビ受信部７あるいはインターネット送受信部１８に出力する第１８処理手段を含んでいる。
【００９０】
このように構成した第２実施形態における処理操作について以下に説明する。
【００９１】
まず予め、電子番組ガイド受信部２を介して外部から入力されるテレビ番組から成る映像コンテンツ、ラジオ番組から成る音声コンテンツが、図３の（ａ）、（ｂ）図に例示するように、情報記憶部１４に保存される。なお、インターネット情報から成る映像コンテンツは例えば、入力装置１の第２操作部１ｂが操作され、情報入力部１ｃでユーザの望むジャンルとキーワードが入力されたとき、これらのジャンル、キーワードに該当する映像コンテンツが、それを送信する情報送信元とともに、情報記憶部１４に保存されるようになっている。
【００９２】
ここで、入力装置１の第１操作部１ａが操作され、情報入力部１ｃによってジャンル、キーワードが入力されたときの処理は、テレビ番組から成る映像コンテンツとラジオ番組から成る音声コンテンツの処理となるので、前述した第１実施形態におけるのと同様である。したがって説明の重複を避けるために、以下にあってはインターネット情報から成る映像コンテンツとラジオ番組から成る音声コンテンツの処理について説明する。
【００９３】
上述した状態において、車両内のユーザが入力装置１の第２操作部１ｂを操作すると、情報検索装置１５を介してインターネット送受信部１８に信号が出力され、インターネットに接続される。ここで入力装置１の情報入力部１ｃによって、受信したい情報、例えば図２に例示するようなジャンルとキーワードが入力される（手順Ｓ２１）。
【００９４】
このジャンルとキーワードに適合するインターネット情報が検索され、該当するインターネット情報が映像コンテンツとして、その情報送信元に対応させてテレビ番組、ラジオ番組と共に、情報記憶部１４に記憶される。
【００９５】
ここで、番組検索装置５の処理手段は、入力装置１の情報入力部１ｃで入力されたジャンルとキーワードに適合するインターネット情報及びラジオ番組を、時計部４から入力される現在時刻を参照して情報記憶部１４に保存されたインターネット情報、及びラジオ番組から検索する（手順Ｓ２２）。
【００９６】
検索の結果、入力装置１の情報入力部１ｃから入力されたジャンルとキーワードを最も多く含むインターネット情報の送信元が情報検索装置１５の第１３処理手段により、映像コンテンツの第１順位として、以下所定数の送信元が検索結果記憶部６に記憶される。同様に、上述したジャンルとキーワードを最も多く含むラジオ番組を放送するラジオ局が音声コンテンツの第１順位として検索結果記憶部６に記憶される。以下、所定数のラジオ局が順位を付けて検索結果記憶部６に記憶される。これらの映像コンテンツの送信元と、音声コンテンツの送信元であるラジオ局とは、情報検索装置１５の第１６処理手段により、それぞれ個別に分けて検索結果記憶部６に記憶されるようになっている（手順Ｓ２３）。
【００９７】
ここで、情報検索装置１５において、走行状態検出装置９で検出される車両の走行状態が現在どのような状態か判断される（手順Ｓ２４）。
【００９８】
今仮に、車両が駐車場内に停止した状態にあるものとすると、情報検索装置１５の第１１処理手段は、インターネット情報から成る映像コンテンツと、ラジオ番組から成る音声コンテンツの両方から入力装置１の情報入力部１ｃで入力されたジャンルとキーワードに相応するコンテンツを検索する。この場合例えば、情報検索装置１５の第１４処理手段によって、検索結果記憶部６に記憶されている最も優先順位の高いインターネット情報の送信元とラジオ局が検索され、その第１順位のインターネット情報の送信元と、第１順位のラジオ局とが特定される。第１順位のインターネット情報の送信元の信号を受信する指令信号が、情報検索装置１５からインターネット送受信部１８に出力され、あるいは第１順位のラジオ局の信号を受信する指令信号がラジオ受信部８に出力される（手順Ｓ２５）。
【００９９】
今例えば、車両内のモニタにインターネット情報の映像コンテンツが受信されているときには、インターネット送受信部１８から出力される信号に応じた再生部１０からの映像信号が表示装置１１に出力され、音声信号がスピーカ１２に出力される。これにより、表示装置１１にインターネット情報の静止画像あるいは動画像が写し出され、場合によってはスピーカ１２からその画像に伴う音声が出力される。
【０１００】
また例えば、車両内のラジオが受信されているときには、ラジオ受信部８から出力される信号に応じて再生部１０からの音声信号がスピーカ１２に出力され、このスピーカ１２から該当するラジオ番組が放送される。
【０１０１】
ここで車両内のユーザは、写し出されているインターネット映像、あるいは放送されているラジオ番組が自分の好みに合うものかどうか確認する作業をおこなう（手順Ｓ２６）。
【０１０２】
例えば、インターネット情報を受信している状態において表示装置１１に写し出されている映像コンテンツが、自分の好みに合わないとユーザが判断したときには、入力装置１の所定の操作部が操作される。これに応じて、情報検索装置１５の第１５処理手段は、検索結果記憶部６に記憶されているインターネット情報の送信元の優先順位を変更する処理をおこなう。すなわち、それまで第１順位であった情報送信元を最下位にし、第２順位であった情報送信元を第１順位に繰り上げる処理をおこなう（手順Ｓ２７）。引き続き、今回第１順位となったインターネット情報の送信元の信号を受信する指令信号をインターネット送受信部１８に出力する。これに応じて表示装置１１に該当するインターネット情報の画像が映し出され、場合によってはスピーカ１２からその画像に伴う音声が出力される。
【０１０３】
なお、上記ではインターネット情報から成る映像コンテンツの優先順位、すなわちインターネット情報の送信元の優先順位を変更する処理について述べたが、ラジオを受信している状態において音声コンテンツであるラジオ番組の優先順位、すなわちラジオ局の優先順位を変更する場合も上述と同様にしておこなわれる。
【０１０４】
今例えば、上述のようにして表示装置１１に写し出されたインターネット情報の画像がユーザの好みに合う映像コンテンツであったとすると、情報検索装置１５の処理手段は、今インターネット情報の映像コンテンツを受信しているかどうか判断する（手順Ｓ２８）。今は、インターネット情報の映像コンテンツを受信しているが、このインターネット情報の映像コンテンツを受信しなくなった場合には全ての処理が終了する。
【０１０５】
今はインターネット情報の映像コンテンツを受信しているので、情報検索装置１５の処理手段によって、走行中であるかどうか判断されるが（手順Ｓ２９）、今は走行中であるので次に、車両が所定の速度以下の低速走行状態にあるかどうか判断される（手順Ｓ３０）。例えば上述のように車両が駐車場内に停止していた状態から、その駐車場内を低速で移動するように変化したときなどには、低速走行状態にあると判断され、情報検索装置１５の第１８処理手段によって、表示装置１１によるインターネット情報の映像表示を禁止させ、その映像に音声が伴う場合には、スピーカ１２からの音声の出力のみを許す指令信号がインターネット送受信部１８に出力される。これにより、表示装置１１の映像は消え、スピーカ１２からの音声出力のみが可能となる（手順Ｓ３１）。
【０１０６】
上述した手順Ｓ３０の情報検索装置１５の処理手段による判断が、低速走行でないと判断されたときには、情報検索装置１５の処理手段によって、車両が前述した所定の速度を超えた高速走行状態にあるかどうか判断される（手順Ｓ３２）。
【０１０７】
ここで例えば、駐車場内を低速走行していた車両が所定の場所に再び停止したようなときで、高速走行状態でないと判断されたときは、情報検索装置１５の処理手段によって、再びインターネット情報の映像表示を許す指令信号がインターネット送受信部１８に出力される。これにより、表示装置１１にインターネット情報の映像が再び写し出されると共に、スピーカ１２からその映像に伴う音声の出力が可能となる（手順Ｓ３３）。
【０１０８】
また、車両が駐車場内から駐車場の外部に発進して、通常の高速走行に移行した場合には、上述した手順Ｓ３２における判断で車両が高速走行状態であると判断され、情報検索装置１５の第１７処理手段により上述した手順Ｓ２４に戻る。
【０１０９】
現在は高速走行中であることから、手順２４の判断は走行中と判断され、情報検索装置１５の第１２処理手段は、ラジオ番組の中で最も優先順位の高いものを検索する。すなわち、検索結果記憶部６に記憶されている最も優先順位の高いラジオ番組を放送している第１順位のラジオ局を検索し、この第１順位のラジオ局を特定する（手順Ｓ３４）。情報検索装置１５の第１２処理手段は、この第１順位のラジオ局の信号を受信する指令信号をラジオ受信部８に出力する。さらに、このラジオ受信部８から再生部１０に信号が出力され、再生部１０から音声信号がスピーカ１２に出力される。これにより、スピーカ１２から第１順位のラジオ局のラジオ番組が放送される。
【０１１０】
ここで、車両のユーザは、現在放送されているラジオ番組が自分の好みに合うものかどうか確認する作業をおこなう（手順Ｓ３５）。
【０１１１】
例えば、スピーカ１２から音声が出力されている第１順位のラジオ番組が、自分の好みに合わないとユーザが判断したときに、入力装置１の所定の操作部が操作される。これに応じて情報検索装置１５の第１５処理手段は、ラジオ番組の優先順位、すなわち検索結果記憶部６に記憶されているラジオ局の優先順位を変更する処理をおこなう。それまで第１順位であったラジオ局を最下位にし、第２順位であったラジオ局を新たに第１順位に繰り上げる処理をおこなう（手順Ｓ３６）。引き続き、情報検索装置１５は、今回第１順位にしたラジオ局の信号を受信する指令信号をラジオ受信部８に出力する。これに応じてスピーカ１２からそのラジオ局のラジオ番組が放送される。
【０１１２】
ここで再びユーザによる確認作業が手順Ｓ３５においておこなわれる。この確認作業において、現在放送されているラジオ番組がユーザの好みに合うものであったとすると、情報検索装置１５の処理手段は、車両が走行中かどうか判断する（手順Ｓ３７）。走行中と判断されたときは、スピーカ１２からのラジオ番組の放送を継続させる処理がなされる。車両が停止状態となり、走行中でないと判断されたときは、インターネット情報の映像表示処理を可能とする前述した手順Ｓ２５に移る。この手順Ｓ２５以下の処理については前述したとおりである。なお、走行中にラジオが受信されなくなった場合には、全ての処理が終了する。
【０１１３】
ユーザがテキストデータの音声出力を望むときには、入力装置１のテキストデータ操作部１ｄが操作される、これにより、テレビ受信部７、ラジオ受信部８、インターネット送受信部１８を介して取得されるテキストデータが再生部１０に取り込まれ、そのテキストデータがテキスト・音声変換部１９に出力される。ここで音声信号に変換され、この音声信号がスピーカ１２に出力され、このスピーカ１２でテキストデータが音声として出力される。
【０１１４】
以上のように構成した第２実施形態にあっても、第１実施形態におけるのと同様に、車両が停止状態にあるか、走行状態にあるかが走行状態検出装置９で検出されると、情報検索装置１５の第１１処理手段、あるいは第１２処理手段によって、ユーザが入力装置１の情報入力部１ｃで入力した情報、すなわちジャンルとキーワードに一致あるいは近い映像コンテンツ、または音声コンテンツが検索され、テレビ局、ラジオ局、またはインターネット情報の送信元が特定される。このように特定されたテレビ局、インターネット情報の送信元の映像コンテンツは表示装置１１で表示され、ラジオ局の音声コンテンツはスピーカ１２から出力される。
【０１１５】
このようにユーザがジャンルとキーワードを、入力装置１の情報入力部１ｃで入力する簡単な操作で、情報検索装置１５の第１１処理手段、第１２処理手段によって、車両の走行状態に合わせて該当する映像コンテンツすなわち映像情報、あるいは音声コンテンツすなわち音声情報を容易に探すことができる。
【０１１６】
このように車両の走行状態に合わせながらも、ユーザが受信したい映像あるいは音声をユーザに提供でき、これにより車両内のユーザに満足感を与えることができ、ユーザに対する優れたサービス性を確保できる。
【０１１７】
また、表示装置１１に写し出された映像コンテンツ、スピーカ１２から出力される音声コンテンツが、ユーザの好むコンテンツでないときには、情報検索装置１５の第１５処理手段によって次に順位の高いコンテンツの送信元が検索されるので、ユーザの好みに合う映像コンテンツあるいは音声コンテンツを容易に探すことができ、ユーザに対するサービス性を向上させることができる。
【０１１８】
また、情報検索装置１５の第１６処理手段で、映像コンテンツの送信元と音声コンテンツの情報送信元とを、それぞれ個別に分けて検索結果記憶部６に記憶させるようにしてあることから、情報検索装置１５による情報送信元の検索処理が容易になり、検索速度を速くすることができる。
【０１１９】
また、映像コンテンツを受信中に車両が走行していることが検出されると、情報検索装置１５の第１７処理手段によって検索結果記憶部６に記憶されている音声コンテンツの情報送信元であるラジオ局の中からユーザの好みに合う番組を放送しているラジオ局が検索される。すなわち、映像コンテンツを見ている最中に走行しはじめたときには、ユーザの好みに近いラジオ局が検索され、そのラジオ局の番組をスピーカ１２から出力させることができ、これによってもユーザに対するサービス性を向上させることができる。
【０１２０】
また、映像コンテンツを受信中に車両が所定速度以下の低速走行をしていることが検出されると、情報検索装置１５の第１８処理手段によって、映像コンテンツの受信は継続されるものの、表示装置１１による映像表示は禁止されるので、この状態にあってはラジオ番組に切り換えられることがない。ユーザは車両の停止後に直ちに表示装置１１で映像コンテンツの映像を再び見ることができる。これによっても、ユーザに対するサービス性を向上させることができる。
【０１２１】
なお、インターネットを介して、あるいはテレビ局、ラジオ局から送信される信号を介して得られるテキストデータを、テキスト・音声変換部１９によって音声信号に変換し、スピーカ１２から出力させることができるので、情報に対するユーザの選択肢を広げることができる。この点でもユーザに対するサービス性を向上させることができる。
【図面の簡単な説明】
【０１２２】
【図１】本発明の車載マルチメディアシステムの第１実施形態の構成を示すブロック図である。
【図２】図１に示す第１実施形態に備えられる入力装置で入力される放送内容の一例を示す図である。
【図３】図１に示す第１実施形態に備えられる電子番組ガイド記憶部で記憶される番組の一例を示す図で、（ａ）図はテレビ番組を示す図、（ｂ）図はラジオ番組を示す図である。
【図４】図１に示す第１実施形態に備えられる検索結果記憶部で記憶される放送局の一例を示す図で、（ａ）図はテレビ局を示す図、（ｂ）図はラジオ局を示す図である。
【図５】本発明の第１実施形態における処理手順を示すフローチャートである。
【図６】本発明の第２実施形態の構成を示すブロック図である。
【図７】本発明の第２実施形態における処理手順を示すフローチャートである。
【符号の説明】
【０１２３】
１    入力装置
１ａ  第１操作部
１ｂ  第２操作部
１ｃ  情報入力部
１ｄ  テキストデータ操作部
２    電子番組ガイド受信部
３    電子番組ガイド記憶部
４    時計部
５    番組検索装置
６    検索結果記憶部
７    テレビ受信部（受信装置）
８    ラジオ受信部（受信装置）
９    走行状態検出装置
１０  再生部
１１  表示装置
１２  スピーカ
１４  情報記憶部
１５  情報検索装置
１８  インターネット送受信部（受信装置）
１９  テキスト・音声変換部
【図１】
2005080092.tif 000003
【図２】
2005080092.tif 000004
【図３】
2005080092.tif 000005
【図４】
2005080092.tif 000006
【図５】
2005080092.tif 000007
【図６】
2005080092.tif 000008
【図７】
2005080092.tif 000009